(57)【要約】      （修正有）【課題】１セットのタブ数を自動的に決定し、かつ、余剰タブ制御をも容易に行える画像データ出力制御システムを提供する。【解決手段】外部クライアントコンピュータから受信されるジョブ関連情報を受信するパラメータ受信手段と、文字列長を識別するタブ文字列長識別手段、挿入位置および挿入数を判定するタブ挿入数判定手段、ジョブ本体のフィニッシングタイプを識別する手段を持ち、該文字列長識別手段からの情報を用いて１セットのタブ数を自動的に決定するタブセット数決定手段、および該タブ挿入数判定手段と該タブセット数決定手段の情報を用いて、余剰タブの枚数を判定する余剰タブ数判定手段、該フィニッシングタイプ識別手段からの情報を用いて、余剰タブに対する後処理方法を決定する余剰タブ後処理方式判定手段、該後処理方式判定手段と該タブセット数決定手段を用いて、適切なフィニッシング機能を備えた画像形成装置を選択する手段を備えた。【選択図】図１
2006251880.tif 000002
【特許請求の範囲】
【請求項１】
インデックスタブが付随するメディアを所定の場所へ排紙する排出手段と、排出された出力メディアを収容するための複数の収容手段を有する画像形成装置が制御可能な、画像データ出力制御システムにおいて、外部クライアントコンピュータから受信されるジョブ関連情報を受信するパラメター受信手段と、当該受信手段によって受信された情報の一部を用いて、タブ部に記述される文字列長を識別するタブ文字列長識別手段、タブ挿入位置および挿入数を判定するタブ挿入数判定手段、ジョブ本体のフィニッシングタイプを識別するフィニッシングタイプ識別手段を持ち、該文字列長識別手段からの情報を用いて１セットのタブ数を自動的に決定するタブセット数決定手段、および該タブ挿入数判定手段と該タブセット数決定手段の情報を用いて、余剰タブの枚数を判定する余剰タブ数判定手段、該フィニッシングタイプ識別手段からの情報を用いて、余剰タブに対する後処理方法を決定する余剰タブ後処理方式判定手段、該後処理方式判定手段と該タブセット数決定手段を用いて、適切なフィニッシング機能を備えた画像形成装置を選択する画像形成装置選択手段、を備えたことを特徴とする画像データ出力制御システム。
【請求項２】
請求項１に記載の画像データ出力制御システムおいて、
外部コンピュータがインターネット上などの遠隔地に存在し、ジョブ関連情報を受信するパラメター受信手段が、遠隔地との交信を所定のプロトコルによって遂行できることを特徴とする画像データ出力制御システム。
【請求項３】
請求項１に記載の画像データ出力制御システムおいて、
クライアントコンピュータから受信される、余剰タブの排紙タイプを識別する排紙タイプ識別手段を備え、前記排紙タイプ識別手段からの情報を用いて、余剰タブに対してジョブ本体と同様のフィニッシング処理を行い、ジョブ本体と同じ収容手段に出力するか、あるいは、余剰タブ排紙を別の収容手段に行うか、あるいは、余剰タブ排紙処理自体を行わないか、などの処理タイプを決定する余剰タブ処理方式判定手段、を備えたことを特徴とする画像データ出力制御システム。
【発明の詳細な説明】
【技術分野】
【０００１】
本発明は、使用されるインデックスタブセット数や余剰タブ数の自動決定と、余剰タブの後処理技術と画像形成装置の選択技術に関する発明で、特に、遠隔地からジョブの入稿が可能な画像データ出力制御システムに係る。
【背景技術】
【０００２】
従来から、インデックス用のタブが付いたタブ紙への印字出力を行っている画像形成装置がある。具体的には、ジョブの本体が、所定サイズの用紙からなる出力物に対して、出力束内のあらかじめ定めた位置に、インデックスタブ付きのタブ紙を挿入し、見出付け、章分けをしたドキュメントが作成可能な、タブ合紙モードを有する複写機が提案されたり、あるいは、同様の機能を持ったプリンタなどが提案されたりしている。
【０００３】
使用されるタブ付きメディアはあらかじめ定めた枚数を組み合わせて１束とされ、例えば、５タブ付きシートならば５枚で１組である。しかし、例えば、インデックス位置が１０ヶ所指定されている場合、１０枚のタブ紙を使用するジョブとなり、計２組のタブ紙を消費し、次のジョブでは、また新たなセットで開始できるため問題は発生しないが、タブ合紙位置が３ケ所しか設定されていないのに、５枚のタブ付きシートがセットされた場合は、余剰のタブ付きシートが２枚発生することになる。この問題を解決するために、従来の方法では、使用者に最初から余剰分のタブ紙を抜いてセットさせるものや、余剰のタブ紙は１部出力ごとに、自動排出するものが提案されている。
【０００４】
また、複数部のタブ紙入りのジョブを出力する場合に、あらかじめ使用されるべき１セットのタブ数を指定することによって、この余剰タブ部分を、同一の排紙先に出して混載させるのではなく、余剰タブ部だけを別の排出先に出力し、使用者に対して、余剰タブの除去をさせやすくする方式も提案されている。
【特許文献１】特開２００３−０３４０６２号公報
【発明の開示】
【発明が解決しようとする課題】
【０００５】
しかしながら、上記従来例では、あくまでも事前に使用者が１セットに使用されるべきセット数を、画像形成装置に付随する所定の操作部より入力する必要があったり、あるいは、画像形成装置のフィニッシング能力を事前に把握して使用者が余剰タブの後処理方法を決定しなければならないケースが発生した。
【０００６】
例えば、インターネット上などの遠隔地に存在するクライアントコンピュータから、インデックスタブシートの挿入を指示するジョブを出力センターなどへ入稿する場合、画像形成装置の操作部へ直接１セットのタブ数や余剰タブの後処理方式を入力することは不可能であり、また、遠隔地において、その場で入力可能な操作部やコンピュータ上のユーザインターフェースが存在している場合についても、使用者は出力センターで用意されている１セットのタブセット数が事前に把握できないにも関わらず、所定の１セットタブ数の入力を強いられることになる。あるいは、遠隔地においても出力センターに備えてあるタブセット数の状況がステータス情報として逐一入手できたとしても、タブ部に印字する文字列が常にある一定の規則に基づいた文字列長であった場合には問題になりにくいが、使用者が好みの文字列を任意でタブ部分に書き込む指示を行った時点で、どのタブセット数がそのジョブにとって適切なのかを、その都度使用者自身が判断しなければならず、ジョブ指定のし易さという意味において簡便さを欠いていた。
【０００７】
また、最終タブセットにおいて余剰タブが発生する場合に関しても、遠隔地にいる使用者は、あらかじめ、どのようなフィニッシング指示を行った場合に、どのような後処理が、余剰タブに対して適切なのかを自ら判断しなければならず、また、出力センターに設置されている画像形成装置（出力装置）に対して、どの装置が、どんな後処理を余剰タブに対して可能かどうかを把握した上で、出力する装置を選択する必要があった。
【０００８】
本発明は、上記の問題点に着目してなされたものであって、１セットのタブ数を自動的に決定し、かつ、余剰タブ制御をも容易に行える画像データ出力制御システムを提供することを目的とする。
【課題を解決するための手段】
【０００９】
上述した課題を解決するために、請求項１の発明においては、外部クライアントコンピュータから受信されるジョブ関連情報を受信するパラメター受信手段、当該受信手段によって受信された情報の一部を用いて、タブ部に記述される文字列長を識別するタブ文字列長識別手段、タブ挿入位置および挿入数を判定するタブ挿入数判定手段、ジョブ本体のフィニッシングタイプを識別するフィニッシングタイプ識別手段、該文字列長識別手段からの情報を用いて１セットのタブ数を自動的に決定するタブセット数決定手段、および該タブ挿入数判定手段と該タブセット数決定手段の情報を用いて、余剰タブの枚数を判定する余剰タブ数判定手段、該フィニッシングタイプ識別手段からの情報を用いて、余剰タブに対する後処理方法を決定する余剰タブ後処理方式判定手段、該後処理方式判定手段と該タブセット数決定手段を用いて、適切なフィニッシング機能を備えた画像形成装置を選択する画像形成装置選択手段、を備えたことを特徴とする。
【００１０】
請求項２の発明において、クライアントコンピュータから受信される、余剰タブの排紙タイプを識別する排紙タイプ識別手段を備え、前記排紙タイプ識別手段からの情報を用いて、余剰タブに対してジョブ本体と同様のフィニッシング処理を行い、ジョブ本体と同じ収容手段に出力するか、あるいは、余剰タブ排紙を別の収容手段に行うか、あるいは、余剰タブ排紙処理自体を行わないか、などの処理タイプを決定する余剰タブ処理方式判定手段、を備えたことを特徴とする。
【００１１】
請求項３の発明において、外部コンピュータがインターネット上などの遠隔地に存在し、ジョブ関連情報を受信するパラメター受信手段が、遠隔地との交信を所定のプロトコルによって遂行できることを特徴とする。
【発明の効果】
【００１２】
本発明によれば、インターネット経由などの遠隔からのインデックスタブ紙挿入ジョブの入稿に際して、１セットのタブ数を使用者があらかじめ指定することなく適切なタブセット数が選択されるため、画像形成装置が遠隔にある出力センター等へのタブシート出力の際に有利であり、かつ、ジョブ本体のジョブタイプに応じて、インデックスタブの余剰タブ処理をジョブ本体と同様のものとするか、あるいは別のものとするかが自動、あるいは使用者の意思の下で制御可能となる。
【発明を実施するための最良の形態】
【００１３】
以下、本発明の実施の形態を図面を参照して詳細に説明する。
【実施例】
【００１４】
［実施例１の形態］
図１は、本発明の第一の実施例の形態を示す。１０１は、コンピュータであり、ネットワークやローカルの接続手段を示す１０３によって、画像コントローラである１０４に接続される。コンピュータ１０１と画像コントローラ１０４、および画像形成装置１０５，１０６の関係を、ここで簡単に説明すると、コンピュータ１０１上では、いわゆるＤＴＰ（Ｄｅｓｋ  Ｔｏｐ  Ｐｕｂｌｉｓｈｉｎｇ）や事務処理、文書作成等をつかさどるアプリケーションソフトウェアを動作させ、各種文書／図形が作成／編集される。コンピュータ１０１は作成された文書／図形をプリンタドライバと呼ばれるソフトウェアによって適切なＰＤＬ言語（Ｐａｇｅ  Ｄｅｓｃｒｉｐｔｉｏｎ  Ｌａｎｇｕａｇｅ＝ページ記述言語）などに変換し、コンピュータ１０１からプリンタドライバのユーザインターフェースを用いて所望の処理内容を指示することにより、ネットワークなどの接続手段１０３を経由して画像コントローラ１０４へ送信される。画像コントローラ１０４では、ＰＤＬ言語などの特定の記述を解釈し、画像形成装置１０５、１０６が出力できる形へ変換し、ビデオインターフェースケーブルや一般のＥｔｈｅｒｎｅｔ（登録商標）ケーブルなどの接続経路１０７を介して、画像形成装置１０５、１０６と通信を行いながら、印刷データを画像形成装置へ送信する。その後、画像形成装置１０５，１０６において、最終的な出力物を得る。あるいは、コンピュータ１０１上では、すでに作成されたＰＤＦファイルなどを、専用のアプリケーションを用いて、画像コントローラ１０４へと、プリンタドライバを介せずに直接ダウンロードする場合もある。この場合においても、専用のユーザインターフェースを用いて、処理内容はユーザ側から指定可能である。
【００１５】
ここでコンピュータ１０１上に表示されるユーザインターフェースの例を図２を用いて、解説する。図２の２００は、コンピュータユーザーインターフェースにおいて、タブメディアの挿入位置と文字列を指定するウィンドウであり、２０１の表を用いて、本体のジョブのどのページの後に、タブメディアを挿入するかを指定できる。この２０１の例では、１０ページ目、２５ページ目、４５ページ目、７０ページ目、８０ページ目、１２０ページ目の後に、それぞれタブメディアの挿入が指示されているが、これよりも増やしたい場合は、２０８の「挿入指定箇所の追加」というボタンを押下することによって、リストに指定できる行を追加することが可能となる。また、指定されたページの後にタブメディアを入れるが、そのタブ部分に入れる文字列を任意に指定できる。例えば、２０２の例では、１０ページ目の後にタブ紙を挿入しそのタブ部分に「第一章：概要説明」という文字列を入れる指定がされており、２０３の例では２５ページ目の後のタブ部分に「第二章：基礎」が、２０４の例では４５ページ目の後のタブ部分に「第三章：応用」が、２０５の例では７０ページ目の後のタブ部分に「第四章：基礎問題と解説」が、２０６の例では８０ページ目の後のタブ部分に「第五章：応用問題と模擬テスト」が、２０７の例では１２０ページ目の後のタブ部分に「第六章：まとめ」、という文字列が挿入されるよう指定されている。この図２の例では、使用者が任意に文字列を指定した例であるが、例えば、単に「一章」「二章」「三章」、「Ａ」「Ｂ」「Ｃ」などの固定の文字列を入れる場合は、２０９の「固定文字列」というボタンを押下することによって、定型の文字列を選択する画面へと進むことが可能となる。また、２１０の文字サイズ・フォント指定ボタンを押下することによって、文字のサイズやフォントの形状を指定できるウィンドウが開き、タブ部分に書き込む文字列の大きさや、フォントの形を指定することが可能となる。
【００１６】
コンピュータ１０１では、このようなユーザインターフェースによって入力されたタブ紙制御に関わるパラメターを含む情報が、接続手段１０３を介して、画像コントローラ１０４へと渡される。
【００１７】
画像コントローラ１０４の内部では、外部のコンピュータ１０１と接続するためのインターフェースである外部ネットワークインターフェース１０８があり、外部との通信制御を行っている。この外部ネットワークインターフェース１０８を介して受信された各種パラメターは、パラメター受信手段１０９に渡され、一時格納される。
【００１８】
このパラメター受信手段１０９には、指定された印刷ジョブに関わる様々な設定項目が保持されるが、例えば、用紙サイズや給紙段に関わる設定や、画像のレイアウトに関わる設定、フィニッシングに関わる設定や、画像の色味を決定する設定、あるいは出力した使用者の情報やアカウント情報などの設定情報が格納される。
【００１９】
このような様々な設定項目の中から、図２で設定されたような項目が、まずは文字列長識別手段１１０に渡される。例えば、文字列長識別手段１１０では、各タブメディアのタブ部分に挿入されるべき文字列が渡されるため、図２の例で言えば「第一章：概要説明」であれば８文字、「第二章：基礎」であれば６文字、「第四章：基礎問題と解説」であれば１１文字などのように各タブに使われる文字の数が把握される。また、文字の数とともに、例えば図２の２１０において文字サイズとフォントが指定されており、この情報も文字列長識別手段１１０に渡される。
【００２０】
次にタブセット数決定手段１１３の説明を行う。タブセット数決定手段には、文字列長識別手段１１０から、文字数情報、サイズ情報、フォント情報が渡され、ここで、それらの情報を用いて、図３で示すタブ部分の適切な長さ（Ｔｈ）を決定する。このＴｈを決定するには、各タブ部に記述される文字列が異なるため、いくつかの方法が考えられる。
【００２１】
例えば、
ａ：最大文字列長のタブを基準にＴｈを算出する方法
ｂ：各文字列の長さの平均値をＴｈにする方法
ｃ：最小文字列長のタブを基準にＴｈを算出する方法
などが考えられる。各方法に関して、以下説明を行う。
【００２２】
ａ：最大文字列長のタブを基準にＴｈを算出する方法。
【００２３】
例えば、図２の例で言えば、「第五章：応用問題と模擬テスト」という文字列が１４文字でもっとも長く、この文字列を基準にして考える。結果、図４のように最大長文字列を横一列に入るようにＴｈの値を算出する。例えば、ジョブの用紙サイズ、および使用されるタブシートサイズがＡ４サイズとすると、Ｔｈの値が最大長の文字列にあわせてＴｈ＝６ｃｍと判断された場合、１セットのタブ数として「４」が妥当な値となる。このとき、最大文字列にあわせているため、それよりも短い文字列のタブに関しては、図４の「第六章：まとめ」のように、センタリングされる。
【００２４】
ｂ：各タブの長さの平均値をＴｈにする方法。
【００２５】
例えば、図２の例で言えば、各タブの文字列の長さの平均が約９文字となり、この文字列長を基準として計算を行う。ジョブの用紙サイズ、および使用されるタブシートサイズがＡ４サイズとすると、Ｔｈの値が平均の文字列、この場合９文字にあわせてＴｈ＝５ｃｍと判断された場合、１セットのタブ数として「５」が妥当な値となる。このとき、平均文字列にあわせているため、それよりも長い文字列のタブに関しては、図５の「第四章：基礎問題と解説」のように、フォントサイズを小さくし、２段に分けてタブに記載されたり、あるいは図６のように、フォントサイズは変更させずに９文字でカットされる方法がとられたりする。これらの選択についても、ユーザが可能となるよう、コンピュータ１０１上のユーザインターフェースに設けることができ、図２の２１１「文字列表記指定」ボタンより設定が可能となる。
【００２６】
ｃ：最小文字列長のタブを基準にＴｈを算出する方法。
【００２７】
例えば、図２の例で言えば、「第二章：基礎」という文字列が６文字でもっとも短く、この文字列を基準にして考える。結果、図７のように最小文字列を横一列に入るようにＴｈの値を算出する。例えば、ジョブの用紙サイズ、および使用されるタブシートサイズがＡ４サイズとすると、Ｔｈの値が最小長の文字列にあわせてＴｈ＝４ｃｍと判断された場合、１セットのタブ数として「６」が妥当な値となる。このとき、最小文字列にあわせているため、それよりも長い文字列のタブに関しては、図７の「第四章：基礎問題と解説」のように、フォントサイズを小さくし、２段に分けてタブに記載されたり、あるいは図８のように、フォントサイズは変更させずに６文字でカットされる方法がとられたりする。ただし、カット後の文字列が短すぎると、図８の例のように「第二章：基礎」「第四章：基礎」「第三章：応用」「第五章：応用」のように、区別がつかないインデックスが作成されることも考えられるので、注意が必要となる。これらの選択についても、ユーザが可能となるよう、コンピュータ１０１上のユーザインターフェースに設けることができ、図２の２１１「文字列表記指定」ボタンより設定が可能となる。
【００２８】
タブ挿入数判定手段１１１では、パラメター受信手段１０９から受け取ったタブ情報をもとに、当該ジョブの中で挿入する全タブシート数が判定され、その情報が、余剰タブ数判定手段１１４へと渡される。
【００２９】
余剰タブ数判定手段１１４では、前記タブ挿入数判定手段１１１から渡された「全タブシート数」と、タブセット数決定手段１１３から得られた「タブセット数」の情報が渡され、これらの情報を元に、余剰タブ数を決定する。例えば、全タブシート数が１５枚であり、タブセット数（１セットの中のタブの枚数）が４であるとき、１５／４＝３余り３となり、余剰タブ数が「３」であることがすぐに分かり、この余剰分が、その後の後処理への対象枚数となる。
【００３０】
次に、フィニッシングタイプ識別手段１１２の説明を行う。ここでは、コンピュータ１０１上のユーザインターフェースによって入力された、ジョブのフィニッシングに関わる設定項目を、パラメター受信手段１０９から受け取り、フィニッシングタイプの識別を行う。例えば、コンピュータ１０１上のユーザインターフェースにて図９で示すように、フィニッシングに関わる設定が行われたとする。９００は、設定項目を表示するウィンドウであり、９０１はその中でのフィニッシング関連設定箇所であり、９０２は両面に関する設定、９０３はソートに関する設定、９０４ではステイプルに関する設定、９０５ではホールパンチに関する設定が行われている例である。これらの設定情報が、パラメター受信手段によって受信・解釈され、フィニッシングに関わる部分は、フィニッシングタイプ識別手段１１２へと渡される。図９の例では、「ホールパンチ」が「オン」に設定されている。これらの各ジョブに対するフィニッシング情報は、余剰タブ後処理方式判定手段１１５へと渡される。
【００３１】
余剰タブ後処理方式判定手段１１５には、余剰タブ数判定手段１１４から得られた最終セットの余剰タブ情報と、フィニッシングタイプ識別手段１１２から得られたフィニッシングタイプ情報が渡される。ここで、それらの情報を用いて、余剰タブに対する後処理方式を決定する。例えば、余剰タブ数判定手段１１４からの余剰タブ情報が、「０」の場合は後処理を決定する必要はなく、通常の処理フローに従えばよいが、余剰タブ情報が０ではない場合に、フィニッシングタイプ識別手段１１２からの情報を用いて、そのフィニッシングタイプに応じて後処理を変化させることになる。
【００３２】
図１０、図１１を用いてさらに詳細を説明すると、１００１は、インデックスタブメディアが挿入されたジョブ本体（一部）であり、１００２はこのジョブによって発生した余剰タブであるとする。このジョブの場合、ジョブ本体に対してホールパンチが指定されていないため、後処理については、ジョブ本体の束を１００３のトレイＡへ出力し、余剰タブである１００２は、使用者が集めやすくするために、別のトレイＢ（１００４）へ出力制御を行う。一方、図１１に示すように、ジョブ本体１１０１に対してホールパンチが指定された場合に関しては、使用者が将来的に余剰タブをバインダーに残しておきたいという要求があると思われるため、余剰タブ１１０２に示すように、余剰タブに対してもホールパンチを行う指示を、余剰タブ後処理方式判定手段１１５にて決定し、ジョブ本体１１０１と同じ排出先である１１０３のトレイＡに排出する。
【００３３】
画像形成装置選択手段１１６では、タブセット数決定手段１１３からの情報と余剰タブ後処理方式判定手段１１５からの情報を用いて、本システムに接続される画像形成装置の中から適切なものを選択し、画像形成装置インターフェース１１７を介して、通信、および画像形成装置の制御を行う。図１を用いて具体的な例をあげると、出力センターなどに多くの画像形成装置がある場合に、例えば画像形成装置１０５は、１セットが５タブのタブセット数を持つタブメディアがインストールされていたとして、かつ、複数の出力トレイを持っているとし、画像形成装置１１０６は１セットが５タブのタブセット数を持つタブメディアがインストールされてはいるが、複数の出力トレイを持っておらず、しかもホールパンチなどの後処理が可能なオプションデバイスも接続されていないとすると、画像形成装置選択手段において、タブセット数決定手段１１３からの情報が特殊なフィニッシングがなく、タブセット数が５タブの指定であるなら、出力デバイスとして１０６が選択されることとなる。
【００３４】
［実施例２の形態］
図１２は、本発明の実施例２の形態を示す。ここで、１０２はいわゆるインターネットなどの開かれた公衆ネットワークであり、１０３はＩＳＰ（インターネットサービスプロバイダ）などの、インターネットと本システムの画像コントローラ部１０４を仲介する経路であり、通常ここには、サーバーコンピュータやファイヤーウォールなどの機器が間に入ることが多い。外部ネットワークインターフェース１０８についても、ＴＣＰ／ＩＰなどのインターネットプロトコルを必ずサポートする必要があり、また、外界からの無用なアクセスを遮断する意味でも、ポートフィルタリングなどのセキュリティー対策などが盛り込まれることも多い。インターネット１０２などにぶら下がるコンピュータ１０１は、自らプリンタドライバなどの専用ＵＩを保持していても良いが、通常はＷｅｂブラウザを介して、中央のＨＴＴＰサーバーが管理しているＵＩ部分にアクセスし、Ｗｅｂサーバーを通してジョブの入稿を、画像コントローラ１０４に行うことになる。また、例えば外部ネットワークインターフェース１０８自らが、ＨＴＴＰサーバーとして動作しても問題はない。
【００３５】
［実施例３の形態］
図１３は、本発明の実施例３の形態を示す。実施例１では、余剰タブに対する後処理に関して、余剰タブの枚数と、フィニッシングの指定状況に応じて、画像コントローラ内部において自動的に後処理方式を一義的に決定していたが、場合によっては使用者の意図するものと別の結果になる場合も考えられる。
【００３６】
実施例３では、余剰タブに対する後処理の方式を、使用者自らが、ユーザインターフェースを用いて選択し、その結果を受け取ったコントローラ側が、使用者の指示に従って処理を行うものである。例えば、図１４で示すように、余剰タブ後処理方式指定１４２０という指定場所を設け、使用者に対して後処理方式の選択を行わせる。図１４の例で言えば、「自動」１４２１、「オン」１４２２、「オフ」１４２３がそれぞれ設けられており、「自動」１４２１が選択された場合は、実施例１と同様、後処理自体を画像コントローラに完全に任せてしまうものであり、「オン」１４２２が選択された場合は、余剰タブに対する処理を、本体のジョブと常に同じにし、「オフ」１４２３が選択された場合には、フィニッシングの有無に関わらず、常に余剰タブは別の排出先に出力させることとなる。
【図面の簡単な説明】
【００３７】
【図１】本発明の第一の実施例の形態を示す図
【図２】タブメディアの挿入位置と文字列を指定するウィンドウの例を示す図
【図３】タブ部の長さを端的に示す図
【図４】最大長文字列を基準としてＴｈの値を算出する例を示す図
【図５】平均文字列を基準としてＴｈの値を算出する例を示す図
【図６】平均文字列を基準としてＴｈの値を算出する例を示す図
【図７】最小長文字列を基準としてＴｈの値を算出する例を示す図
【図８】最小長文字列を基準としてＴｈの値を算出する例を示す図
【図９】フィニッシングに関わる設定を指定するウィンドウの例を示す図
【図１０】ジョブ本体と余剰タブの後処理の例を示す図
【図１１】ジョブ本体と余剰タブの後処理の例を示す図
【図１２】本発明の第二の実施例の形態を示す図
【図１３】本発明の第三の実施例の形態を示す図
【図１４】余剰タブの後処理に関わる設定を指定するウィンドウの例を示す図
【符号の説明】
【００３８】
１０１  コンピュータ
１０２  インターネット
１０３  画像コントローラとインターネットを仲介する経路
１０４  画像コントローラ
１０５  画像形成装置
１０６  画像形成装置
１０７  ビデオインターフェース
１０８  外部ネットワークインターフェース
１０９  パラメター受信手段
１１０  文字列長識別手段
１１１  タブ挿入数判定手段
１１２  フィニッシングタイプ識別手段
１１３  タブセット数決定手段
１１４  余剰タブ数判定手段
１１５  余剰タブ後処理方式判定手段
１１６  画像形成装置選択手段
１１７  画像形成装置インターフェース
１３０  排紙タイプ識別手段
２００  タブメディアの挿入位置と文字列を指定するウィンドウの例
２０１  タブ挿入位置・文字列指定表の例
２０２  タブ指定の例
２０３  タブ指定の例
２０４  タブ指定の例
２０５  タブ指定の例
２０６  タブ指定の例
２０７  タブ指定の例
２０８  挿入指定箇所の追加の例
２０９  固定文字列ボタンの例
２１０  文字サイズ、フォント指定の例
２１１  文字列表記指定
９００  フィニッシングに関わる設定を指定するウィンドウの例
９０１  フィニッシング設定の表の例
９０２  フィニッシング設定の例
９０３  フィニッシング設定の例
９０４  フィニッシング設定の例
９０５  フィニッシング設定の例
１００１  ジョブ本体の図
１００２  余剰タブシートの図
１００３  トレイを示す図
１００４  トレイを示す図
１１０１  ジョブ本体の図
１１０２  余剰タブシートの図
１１０３  トレイを示す図
１１０４  トレイを示す図
１４２０  余剰タブ後処理方式指定の例
１４２１  設定パラメター例
１４２２  設定パラメター例
１４２３  設定パラメター例
【図１】
2006251880.tif 000003
【図２】
2006251880.tif 000004
【図３】
2006251880.tif 000005
【図４】
2006251880.tif 000006
【図５】
2006251880.tif 000007
【図６】
2006251880.tif 000008
【図７】
2006251880.tif 000009
【図８】
2006251880.tif 000010
【図９】
2006251880.tif 000011
【図１２】
2006251880.tif 000012
【図１３】
2006251880.tif 000013
【図１４】
2006251880.tif 000014
【図１０】
2006251880.tif 000015
【図１１】
2006251880.tif 000016